(57)【要約】【課題】  立体音響の再生を行うＡＶシステムやスピーカシステムにおいて、スピーカ出力の状態とヘッドフォン出力の状態とを、煩雑な操作を要さず、無駄なく能率的に切り換えることの出来るシステムを提供する。【解決手段】  音声のワイヤレス送信機能を備えたＡＶ装置１０と、リアスピーカ装置３０と、ワイヤレス受信によりヘッドフォンから音声出力可能なワイヤレス受信器２０とを備えたＡＶシステムである。そして、リアスピーカ装置３０に、ワイヤレス受信器２０を装着可能な機器装着部３１と、ワイヤレス受信器２０が機器装着部３１に装着された場合にワイヤレス受信器２０からワイヤレス受信に基づく音声信号を入力してスピーカ出力する構成とを設ける。さらに、ＡＶ装置１０は、ワイヤレス受信器２０が機器装着部３１に装着されているか否かを識別してこの状態に応じて音声処理に関する動作モードを変化させるように構成する。【選択図】        図１
2008172551.tif 000002
【特許請求の範囲】
【請求項１】
映像と音声の出力が可能で且つ音声信号又は音声データのワイヤレス送信機能を備えたＡＶ装置と、
該ＡＶ装置と別体に構成されたスピーカ装置と、
二次電池の電力で動作するとともに、前記ＡＶ装置からの音声信号又は音声データをワイヤレス受信してヘッドフォンから音声出力可能なワイヤレス受信器と、
を備え、
前記スピーカ装置は、前記ワイヤレス受信器を装着可能な機器装着部と、該機器装着部に装着された前記ワイヤレス受信器からワイヤレス受信に基づく音声信号を入力してスピーカ出力する手段と、前記機器装着部に装着された前記ワイヤレス受信器に充電用の電圧を出力可能な充電用出力端子と、前記二次電池の充電を行う充電用回路と、を備え、
前記ワイヤレス受信器は、ワイヤレス通信が可能な第１通信手段と、前記機器装着部に装着されているか否かを検出する接続検出手段と、前記機器装着部に装着されているか否かを示すステータス情報を前記第１通信手段を介して送信する第１制御手段と、を備え、
前記ＡＶ装置は、マルチチャンネルの音声信号処理が可能であるとともに、ワイヤレス通信が可能な第２通信手段と、前記第２通信手段を介して受信した前記ステータス情報に基づいて音声処理に関する動作モードを変化させる第２制御手段と、を備え、
前記第２制御手段は、
前記ワイヤレス受信器が装着された状態と判別した場合に、自己のスピーカから音声出力を行うとともに、フロント出力以外のチャンネルの音声信号又は音声データをワイヤレス送信させる一方、
前記ワイヤレス受信器の装着状態でないと判別した場合に、自己のスピーカからの音声出力を停止するとともに、ヘッドフォン出力用の音声信号又は音声データをワイヤレス送信させるように構成されていることを特徴とするＡＶシステム。
【請求項２】
音声信号又は音声データのワイヤレス送信機能を備えたＡＶ装置と、
該ＡＶ装置と別体に構成されたスピーカ装置と、
前記ＡＶ装置からの音声信号又は音声データをワイヤレス受信してヘッドフォンから音声出力可能なワイヤレス受信器と、
を備え、
前記スピーカ装置は、
前記ワイヤレス受信器を装着可能な機器装着部を備え、
前記ワイヤレス受信器が前記機器装着部に装着された場合に当該ワイヤレス受信器からワイヤレス受信に基づく音声信号を入力してスピーカ出力するように構成され、
前記ＡＶ装置は、
前記ワイヤレス受信器が前記機器装着部に装着された状態か否かを識別してこの状態に応じて音声処理に関する動作モードを変化させるように構成されていることを特徴とするＡＶシステム。
【請求項３】
前記ＡＶ装置は、
マルチチャンネルの音声信号処理が可能であるとともに、
前記ワイヤレス受信器が装着された状態か否かに応じてワイヤレス送信する音声のチャンネル種類を変化させることを特徴とする請求項２記載のＡＶシステム。
【請求項４】
前記ＡＶ装置は、
前記ワイヤレス受信器が装着された状態と判別した場合にフロント出力以外のチャンネルの音声信号又は音声データをワイヤレス送信し、
前記ワイヤレス受信器の装着状態でないと判別した場合にヘッドフォン出力用の音声信号又は音声データをワイヤレス送信することを特徴とする請求項３記載のＡＶシステム。
【請求項５】
前記ＡＶ装置は、
前記ワイヤレス受信器が装着された状態と判別した場合に自己のスピーカから音声出力を行う一方、
前記ワイヤレス受信器の装着状態でないと判別した場合に自己のスピーカから音声出力を停止することを特徴とする請求項４記載のＡＶシステム。
【請求項６】
前記ワイヤレス受信器には、
ワイヤレス通信が可能な第１通信手段と、
前記機器装着部に装着されているか否かを検出する接続検出手段と、
前記機器装着部に装着されているか否かを示すステータス情報を前記第１通信手段を介して送信する第１制御手段と、が設けられ、
前記ＡＶ装置には、
ワイヤレス通信が可能な第２通信手段と、
前記第２通信手段を介して受信した前記ステータス情報に基づいて前記音声処理に関する動作モードを変化させる第２制御手段と、が設けられていることを特徴とする請求項２〜５の何れかに記載のＡＶシステム。
【請求項７】
前記ワイヤレス受信器は内部回路の動作電圧を供給する二次電池を備え、
前記スピーカ装置には、
前記二次電池の充電を行う充電用回路と、
前記機器装着部に装着された前記ワイヤレス受信器に充電用の電圧を出力可能な充電用出力端子と、
が設けられていることを特徴とする請求項２〜６の何れかに記載のＡＶシステム。
【請求項８】
マルチチャンネルの音声信号のうち何れかのチャンネルの音声出力を行うスピーカ装置と、所定形式の音声信号又は音声データをワイヤレス受信してヘッドフォンから音声出力可能なワイヤレス受信器とを備えたスピーカシステムであって、
前記スピーカ装置は、
前記ワイヤレス受信器を装着可能な機器装着部と、
該機器装着部に装着された該ワイヤレス受信器から音声信号又は音声データを入力する音声入力端子と、
該音声入力端子から入力した音声信号又は音声データに基づき音声出力を行うスピーカ部と、
を備え、
前記ワイヤレス受信器は、
前記機器装着部に装着された際に前記音声入力端子と接続可能な音声出力端子と、
ワイヤレス通信が可能な通信手段と、
前記機器装着部に装着されているか否かを検出する接続検出手段と、
前記機器装着部に装着されているか否かを示すステータス情報を前記通信手段を介して送信する制御手段と、
を備えていることを特徴とするスピーカシステム。
【発明の詳細な説明】
【技術分野】
【０００１】
この発明は、映像や音声を出力するＡＶ（オーディオ・ビジュアル）装置と、リアスピーカ等のスピーカ装置と、ワイヤレス受信により音声をヘッドフォン出力可能なワイヤレス受信器とからなるＡＶシステム、並びに、上記スピーカ装置とワイヤレス受信器とを備えたスピーカシステムに関する。
【背景技術】
【０００２】
近年、マルチチャンネルの音声信号を用いて立体音響再生を行うオーディオシステムが良く知られている。例えば、前方中央と前方左右に３つのスピーカを配し、後方の左右に２つのスピーカを配し、各々のスピーカで異なるチャンネルの音声出力を行わせることで、立体音響の再生を実現する。
【０００３】
また、以前より、アナログの音声信号やデジタルの音声データを赤外線或いは無線によってワイヤレス伝送することで、音声ケーブルを配することなくヘッドフォンから音声の出力を可能とするワイヤレス・ヘッドフォンシステムも開発されている。
【０００４】
また、本願発明に関連する従来技術として、次のような技術の開示があった。例えば、特許文献１には、ヘッドフォンジャックにプラグが挿入されると音声信号のワイヤレス送信を停止させたり、ワイヤレスヘッドフォンを使用するときにフロントスピーカの出力を停止する音声再生システムについて開示されている。
【０００５】
また、特許文献２には、動作モードの選択によりスピーカ出力と音声信号のワイヤレス送信とを切り換えるサラウンドシステムについて開示されている。また、特許文献３には、音声信号のワイヤレス送信でヘッドフォン用とスピーカ用とで変調方式を変えて混信や誤動作を防止する技術が開示されている。
【特許文献１】特開２００５−１２４１０６号公報
【特許文献２】特開平０５−１２２７８９号公報
【特許文献３】特開平０５−００２５００号公報
【発明の開示】
【発明が解決しようとする課題】
【０００６】
３個以上のスピーカを用いて立体音響を再生するオーディオシステムであっても、例えば深夜などでは、スピーカからの出力を停止させて、ヘッドフォンを用いて音声や音楽を聞く場合がある。
【０００７】
しかしながら、上記のようなオーディオシステムにおいて、立体音響のスピーカ出力を行う状態からヘッドフォン出力の状態へ切り換える場合、音声出力のチャンネル種を変更したり、出力モードの変更を行ったり、リアスピーカからの出力を停止させたりするなど、煩雑な操作が必要であった。
【０００８】
また、リアスピーカやヘッドフォンは、再生装置と離れた箇所で用いるため、無線や赤外線によりワイヤレスで音声を伝送する構成にされることがある。しかしながら、このような場合に、リアスピーカとヘッドフォンの両方にワイヤレス受信機能を設けると、リアスピーカとヘッドフォンとは同時使用されないにも関わらず、２つのワイヤレス受信機能を備えることになるため、余計な無駄が生じていると考えられた。
【０００９】
この発明の目的は、立体音響を再生するようなＡＶシステムやスピーカシステムにおいて、スピーカ出力の状態とヘッドフォン出力の状態とを、煩雑な操作を要さず、無駄なく能率的に切り換えることの出来るシステムを提供することにある。また、スピーカ装置とヘッドフォンとにワイヤレスで音声伝送するのに、余計な送受信回路を省いて低コスト化を図ることにある。
【課題を解決するための手段】
【００１０】
本発明は、上記目的を達成するため、音声信号又は音声データのワイヤレス送信機能を備えたＡＶ装置と、該ＡＶ装置と別体に構成されたスピーカ装置と、前記ＡＶ装置からの音声信号又は音声データをワイヤレス受信してヘッドフォンから音声出力可能なワイヤレス受信器と、を備え、前記スピーカ装置は、前記ワイヤレス受信器を装着可能な機器装着部を備え、前記ワイヤレス受信器が前記機器装着部に装着された場合に当該ワイヤレス受信器からワイヤレス受信に基づく音声信号を入力してスピーカ出力するように構成され、前記ＡＶ装置は、前記ワイヤレス受信器が前記機器装着部に装着された状態か否かを識別してこの状態に応じて音声処理に関する動作モードを変化させるように構成とした。
【００１１】
ここで、ＡＶ装置は、例えば、デジタルテレビ受像機や光ディスク再生装置など、音声出力や映像出力を行う種々の装置を適用できる。また、ワイヤレス受信器は、例えば、ヘッドフォンと一体化された機器としても良いし、ヘッドフォン接続端子を有して該端子からヘッドフォンに音声信号を出力する機器としても良い。
【００１２】
このような手段によれば、ワイヤレス受信器をスピーカ装置の機器装着部に装着したり外したりするだけで、自動的に音声出力の動作モードが変わるので、ユーザは煩わしい操作をしなくてもヘッドフォン使用時とスピーカ出力時とにそれぞれに合った音声出力の態様を得ることが出来る。また、スピーカ装置への音声出力はワイヤレス受信器のワイヤレス受信によるので、スピーカ装置もワイヤレス化することが出来るとともに、ワイヤレス受信回路はヘッドフォン用とスピーカ用とで共通化されるので、その分、コストの低減が図れる。また、ヘッドフォン用のワイヤレス信号とスピーカ用のワイヤレス信号とで混信が生じるといった不都合も生じない。
【００１３】
望ましくは、前記ＡＶ装置は、マルチチャンネルの音声信号処理が可能であるとともに、前記ワイヤレス受信器の装着状態か否かに応じてワイヤレス送信する音声のチャンネル種類を変化させるように構成すると良い。
【００１４】
また望ましくは、前記ＡＶ装置は、前記ワイヤレス受信器が装着された状態と判別した場合にフロント出力以外のチャンネルの音声信号又は音声データをワイヤレス送信し、前記ワイヤレス受信器の装着状態でないと判別した場合にヘッドフォン出力用の音声信号又は音声データをワイヤレス送信するように構成すると良い。
【００１５】
さらに望ましくは、前記ＡＶ装置は、前記ワイヤレス受信器が装着された状態と判別した場合に自己のスピーカから音声出力を行う一方、前記ワイヤレス受信器の装着状態でないと判別した場合に自己のスピーカから音声出力を停止するように構成すると良い。
このような構成により、スピーカ出力で立体音響を楽しむときと、スピーカ出力を停止してヘッドフォンのみから音声再生を楽しむときとで、それぞれに好適な状態を自動的に切り換えることが出来る。
【００１６】
また望ましくは、前記ワイヤレス受信器には、ワイヤレス通信が可能な第１通信手段と、前記機器装着部に装着されているか否かを検出する接続検出手段と、前記機器装着部に装着されているか否かを示すステータス情報を前記第１通信手段を介して送信する第１制御手段とが設けられ、前記ＡＶ装置には、ワイヤレス通信が可能な第２通信手段と、前記第２通信手段を介して受信した前記ステータス情報に基づいて前記音声処理に関する動作モードを変化させる第２制御手段とが設けられていると良い。
このような構成により、ＡＶ装置側にワイヤレス受信器の装着状態を確実に伝えることが出来る。
【００１７】
さらに望ましくは、前記ワイヤレス受信器は内部回路の動作電圧を供給する二次電池を備え、前記スピーカ装置には、前記二次電池の充電を行う充電用回路と、前記機器装着部に装着された前記ワイヤレス受信器に充電用の電圧を出力可能な充電用出力端子とが設けられていると良い。
【００１８】
このような構成によれば、スピーカ出力に切り換えてヘッドフォンを使用しないときにワイヤレス受信器の充電を行うことが出来るので大変便利である。また、ワイヤレス受信器の充電電源を供給する回路についてもスピーカ装置の構成と兼用できるので（例えば一次側の電源回路を兼用できる）、コストの低減を図ることが出来る。
【００１９】
また、本発明のスピーカシステムは、上記目的を達成するため、マルチチャンネルの音声信号のうち何れかのチャンネルの音声出力を行うスピーカ装置と、所定形式の音声信号又は音声データをワイヤレス受信してヘッドフォンから音声出力可能なワイヤレス受信器とを備え、前記スピーカ装置は、前記ワイヤレス受信器を装着可能な機器装着部と、該機器装着部に装着された該ワイヤレス受信器から音声信号又は音声データを入力する音声入力端子と、該音声入力端子から入力した音声信号又は音声データに基づき音声出力を行うスピーカ部とを備え、前記ワイヤレス受信器は、前記機器装着部に装着された際に前記音声入力端子と接続可能な音声出力端子と、ワイヤレス通信が可能な通信手段と、前記機器装着部に装着されているか否かを検出する接続検出手段と、前記機器装着部に装着されているか否かを示すステータス情報を前記通信手段を介して送信する制御手段とを備えている構成とした。
このようなスピーカシステムによれば、上述したＡＶ装置と組み合わせて使用することで、上述したような種々の作用・効果を得ることが出来る。
【発明の効果】
【００２０】
以上説明したように、本発明に従うと、立体音響の再生が可能なＡＶシステムやスピーカシステムにおいて、スピーカ出力の状態とヘッドフォン出力の状態とを、煩雑な操作を要さず、無駄なく能率的に切り換えることが出来るという効果がある。
【００２１】
また、スピーカ装置とヘッドフォンとにワイヤレスで音声伝送するのに、両者の受信回路の共通化して低コスト化を図ることが出来るという効果がある。
【発明を実施するための最良の形態】
【００２２】
以下、本発明の実施の形態を図面に基づいて説明する。
図１は、この実施の形態のＡＶシステムの全体構成を示す図、図２は、各構成装置の回路構成を示すブロック図である。
【００２３】
この実施の形態のＡＶシステムは、例えば、映像データやマルチチャンネルの立体音響のデータが格納された光ディスクを再生して映像出力および音声出力を行うディスク再生機能付きのディスプレイ装置（ＡＶ装置）１０と、ワイヤレス受信によりヘッドフォン２５に音声出力が可能なワイヤレス受信器２０と、例えばディスプレイ装置１０の対面に配置されてマルチチャンネルのリア用左右チャンネルの音声出力を行うリアスピーカ装置３０等から構成されるものである。
【００２４】
ディスプレイ装置１０は、図２に示すように、光ディスクの再生を行うディスク再生部１０１と、再生した映像データや音声データの複合を行ったり無線伝送のために音声データや音声信号を符号化したりする信号処理回路１０２と、再生映像を出力する表示部１１と、再生した音声信号を設定された音量に増幅するアンプ１０３と、音声出力がなされるスピーカ１２と、例えば無線によりデジタル信号の送受信を行う無線送受信回路１０５と、各部の制御を行う第２制御手段としてのコントローラ１０４等を備えている。
【００２５】
上記のスピーカ１２は、例えば、マルチチャンネル音声を再生する場合には、フロント左右チャンネルの音声出力が行われるものである。
【００２６】
コントローラ１０４は、信号処理回路１０２にコマンドを出力することで無線伝送用の音声信号のチャンネルを変更することが可能になっている。また、アンプ１０３を制御してスピーカ１２からの出力をミュートにしたり、ミュートを解除したりすることが可能になっている。
【００２７】
ワイヤレス受信器２０は、例えば無線によりデジタル信号の送受信を行う無線送受信回路２０１と、受信した音声データの復調やＤ／Ａ変換を行う信号処理回路２０２と、ヘッドフォン出力用のアンプ２０３と、ヘッドフォンプラグが接続されるベッドフォン接続端子２０４と、リアスピーカ用の音声信号の出力を行う出力回路２０５と、リアスピーカ用の音声信号が出力される音声出力端子２０７と、音声出力端子２０７の接続状態を検出する接続検出回路２０６と、各部の制御を行う第１制御手段としてのコントローラ２０９と、各部の電源電圧を供給するバッテリ（二次電池）２１２と、バッテリ２１２への充電電圧を入力する充電用入力端子等を備えている。
【００２８】
上記のヘッドフォン接続端子２０４は、例えば、一般的なヘッドフォンジャックであり、ワイヤレス受信器２０の筐体上面部或いは筐体側面部などに形成される。一方、上記の音声出力端子２０７や充電用入力端子２１１は、ワイヤレス受信器２０をリアスピーカ装置３０に装着した際にリアスピーカ装置３０の端子と接触するように、例えば、筐体の底面部などに形成されている。
【００２９】
コントローラ２０９は、無線受信したデータから音声データを抽出して信号処理回路２０２に送ったり、アンプ２０３や出力回路２０５の動作をオン・オフ制御することが可能になっている。
【００３０】
接続検出回路２０６は、例えば、音声出力端子２０７のインピーダンスを監視して接続状態か否かを検出するようになっている。
【００３１】
リアスピーカ装置３０は、図１に示すように、その筐体にワイヤレス受信器２０を装着する装着部３１が形成されている。この装着部３１は、例えば、ワイヤレス受信器２０の下側半分を挿入可能な穴形式のものであるが、機器装着部としては、その他、種々の方式を採用して良い。例えば、リアスピーカ装置３０の筐体に開閉パネルとその内側に収容スペースを設け、この収容スペースにワイヤレス受信器２０を丸ごと収容する形式等としても良い。
【００３２】
リアスピーカ装置３０は、図２に示すように、装着部３１内に配置された音声入力端子３０１および充電用出力端子３１２と、音声入力端子３０１から音声信号を入力する入力回路３０２と、入力した音声信号を増幅するアンプ３０３と、この音声信号により音声出力を行うスピーカ３２と、例えばインピーダンスを監視して音声入力端子の接続状態を検出する接続検出回路３０４と、入力回路３０２やアンプ３０３への電源入力をオン・オフ制御する電源制御回路３０５と、例えばＡＣ電源などを入力して各部で使用される動作電圧を生成する電源回路３１０と、充電用出力端子３１２に接続されるバッテリの充電を行う充電回路３１１等を備えている。
【００３３】
次に、図３〜図５のフローチャートを参照しながら、上記構成のＡＶシステムの動作について説明する。
【００３４】
ディスプレイ装置１０とワイヤレス受信器２０との間では、ワイヤレス受信器２０がリアスピーカ装置３０に装着された状態か否かを示すステータス情報の要求と応答とが、短いサイクルごとに行われている。
【００３５】
図３は、ディスプレイ装置１０とワイヤレス受信器２０とで行われるステータス情報の送受信に関する処理を説明するフローチャートである。
図３（ａ）のステータス確認処理は、ディスプレイ装置１０のコントローラ１０４により短いサイクル（例えばコンマ数秒〜数秒）ごとに実行される処理である。また、この処理は、音声データを無線伝送している最中でも、その音声データを送信している間に送受信データを含ませて送受信を行うことで、常時所定サイクルごとに実行されるようになっている。
【００３６】
ディスプレイ装置１０のコントローラ１０４は、所定サイクルが経過すると、制御処理をこのステータス確認処理に移行する。そして、先ず、ステップＳ１において、ワイヤレス受信器２０にステータス情報を要求するステータス要求信号の送信を無線送受信回路２０１に行わせる。次いで、ステップＳ２において、ワイヤレス受信器２０からの送信信号を無線送受信回路２０１により受信させ、その中のステータス情報を抽出する処理を行う。
【００３７】
ステータス情報を受信したら、このステータス確認処理を終了して、元の制御処理に戻る。その後、再び、次の所定サイクルが経過したら、再び、このステータス確認処理に移行して、この処理を実行するというように、このステータス確認処理が繰り返し実行される。
【００３８】
図３（ｂ）のステータス応答処理は、ワイヤレス受信器２０のコントローラ２０９によりステータス要求信号の受信が確認されるごとに実行されるものである。また、この処理は、音声データが無線伝送されている最中でも、その音声データを受信している間に送受信データを含ませて送受信を行うことで、常時ステータス要求がなされるごとに実行されるようになっている。
【００３９】
ワイヤレス受信器２０によりステータス要求信号が受信されてこの応答処理に移行されると、先ず、ステップＳ１１において、音声出力端子２０７の接続状態を確認する処理を行う。音声出力端子２０７の接続状態は、例えばコントローラ２０９内のステータスレジスタに記憶されている所定のフラグを調べることで確認することが出来る。このような構成は、例えば、接続検出回路２０６が接続状態の変化を検出したら、コントローラ２０９に信号を送ってコントローラ２０９内のステータスレジスタに接続か非接続かの状態情報を記憶させるようにしておくことで実現される。
【００４０】
続いて、ステップＳ１２の分岐処理において、接続状態の確認結果が音声出力端子２０７の接続ありであればステップＳ１３に移行してリアスピーカ接続モードのステータス情報を生成し、接続なしであればステップＳ１４に移行してヘッドフォン接続モードのステータス情報を生成する。
【００４１】
ステータス情報が生成されたら、続くステップＳ１５に移行して、このステータス情報を無線送受信回路２０１によりディスプレイ装置１０に送信させ、このステータス応答処理を終了する。そして、元の制御処理に戻るとともに、次に、ステータス要求信号が受信されたら、再び、この処理を実行するというように、このステータス応答処理が繰り返し実行される。
【００４２】
以上のような制御処理によって、ワイヤレス受信器２０がリアスピーカ装置３０の装着部３１に装着された状態か装着されていない状態かを、ディスプレイ装置１０側で常時識別することが可能となる。
【００４３】
図４には、ワイヤレス受信器の接続状態が変更された場合に、ディスプレイ装置１０、ワイヤレス受信器２０、リアスピーカ装置３０の各装置で変更される処理内容を説明するフローチャートを示す。図４のフローチャートは、ワイヤレス受信器がリアスピーカ装置に装着された場合のものである。
なお、この図４と後述の図５のフローチャートは、各装置で行われる処理を列挙したものに過ぎず、各処理はステップ順に行われるというものではない。
【００４４】
ワイヤレス受信器２０がリアスピーカ装置３０の装着部３１に装着されると、先ず、ワイヤレス受信器２０のコントローラ２０９は、接続検出回路２０６からの信号に基づいて装着部３１に装着されたことを認識する。
【００４５】
そして、ワイヤレス受信器２０のコントローラ２０９は、上記の認識に基づいて、図４のステップＪ１に示す幾つかの処理を行う。すなわち、ヘッドフォン用のアンプ２０３をオフ状態にしてヘッドフォン接続端子２０４の出力を停止させ、これと並行して、出力回路２０５をオフの状態からオン状態にして音声出力端子２０７から音声信号を出力させる。
【００４６】
また、リアスピーカ装置３０では、ワイヤレス受信器２０が装着されると接続検出回路３０４がこれを検出して電源制御回路３０５に検出信号を出力する。そして、この検出信号に基づき、ステップＪ２に示すように、電源制御回路３０５がメイン電源をオンにする。これにより、入力回路３０２やアンプ３０３に動作電圧が供給されて、ワイヤレス受信器２０の受信に基く音声信号が音声入力端子３０１から入力されてスピーカ３２から出力される。
【００４７】
また、これと並行して、ワイヤレス受信器２０の充電用入力端子２１１と装着部３１の充電用出力端子３１２とが接続されて、充電回路３１１からバッテリ２１２に充電電圧が供給され、ワイヤレス受信器２０の充電が開始される。
【００４８】
また、ディスプレイ装置１０のコントローラ１０４は、図３に示したように、無線データの送受信によりワイヤレス受信器２０がリアスピーカ装置３０に装着されたか否かを識別できるので、この識別に基づいてステップＪ３の幾つかの処理を行う。すなわち、先ず、アンプ１０３の設定をミュート状態から通常状態に変更して、ディスプレイ装置１０のスピーカ１２から音声出力を再開する。また、ワイヤレス送信している音声データをリアスピーカ用のもの（例えば、マルチチャンネル音声のリア（左／右）の音声データ）に変更する。
【００４９】
これらの処理により、ディスプレイ装置１０のスピーカ装置１０からはマルチチャンネル音声のフロント（左／右）の音声出力がなされ、ワイヤレス伝送によりリアスピーカ装置３０からはマルチチャンネル音声のリア（左／右）の音声出力がなされ、立体音響のスピーカ出力が実現される。
【００５０】
図５には、ワイヤレス受信器がリアスピーカ装置から外された場合に、ディスプレイ装置１０、ワイヤレス受信器２０、リアスピーカ装置３０の各装置で変更される処理内容を説明したフローチャートを示す。
【００５１】
一方、ワイヤレス受信器２０がリアスピーカ装置３０の装着部３１から外されると、先ず、ワイヤレス受信器２０のコントローラ２０９は、接続検出回路２０６からの信号に基づき装着部３１から外されたことを認識する。
【００５２】
そして、この認識に基づき、ワイヤレス受信器２０のコントローラ２０９は、図５のステップＪ４に示す幾つかの処理を行う。すなわち、ヘッドフォン用のアンプ２０３をオフ状態からオン状態にしてヘッドフォン接続端子２０４の出力を再開させる。また、これと並行して、出力回路２０５をオン状態からオフ状態にして音声出力端子２０７からの音声信号の出力を停止させる。
これにより、ユーザはワイヤレス受信器２０にヘッドフォン２５を接続してヘッドフォンから音声を聞くことが可能となる。
【００５３】
また、リアスピーカ装置３０では、ワイヤレス受信器２０の装着が外されると、接続検出回路３０４がこれを検出して電源制御回路３０５に検出信号を出力する。そして、この検出信号に基づき、電源制御回路３０５はステップＪ５に示すようにメイン電源をオフにする。これにより、入力回路３０２やアンプ３０３に供給されている動作電圧が停止される。スピーカ３２からの出力はワイヤレス受信器２０が外されて音声信号の入力がなくなることで停止されるが、さらに、上記の動作電圧が停止されることで、スピーカ３２からの小さなノイズの出力も完全になくなり、且つ、無駄な電力消費もなくなる。
【００５４】
また、ディスプレイ装置１０のコントローラ１０４は、無線データの送受信によりワイヤレス受信器２０がリアスピーカ装置３０から外されたことを識別するので、この識別に基づいてステップＪ６の幾つかの処理を行う。すなわち、先ず、アンプ１０３の設定をミュート状態にして、ディスプレイ装置１０のスピーカ１２からの音声出力を停止する。また、ワイヤレス送信している音声データをリアスピーカ用のものからヘッドフォン出力用のもの（例えば、マルチチャンネル音声のフロント（左／右）の音声データや、マルチチャンネル音声の各チャンネルの音声を混合させた音声データ）に変更する。
【００５５】
これらの処理により、各スピーカの出力は停止され、且つ、ワイヤレス受信器２０を介してヘッドフォン２５にヘッドフォン用の音声出力がなされて、ヘッドフォン視聴用の状態が実現される。
【００５６】
以上のように、この実施の形態のＡＶシステムによれば、ワイヤレス受信器２０をリアスピーカ装置３０の装着部３１に装着したり外したりするだけで、自動的に音声出力の動作モードが変わるので、ユーザは煩わしい操作をしなくてもヘッドフォン使用時とスピーカ出力時とにそれぞれに合った音声出力のモード切替を簡単に行うことが出来る。
【００５７】
また、リアスピーカ装置３０への音声出力はワイヤレス受信器２０を介したワイヤレス伝送によるものなので、リアスピーカ装置３０もワイヤレス化することが出来るとともに、ワイヤレス伝送用の無線回路はヘッドフォン用とリアスピーカ用とで共通化されるので、その分、コストの低減が図れる。また、ヘッドフォン用のワイヤレス信号とスピーカ用のワイヤレス信号とで混信が生じるといった不都合も生じない。
【００５８】
なお、本発明は、上記実施の形態に限られるものではなく、様々な変更が可能である。例えば、上記実施の形態では、ＡＶ装置として、光ディスク再生機能付きのディスプレイ装置を例示したが、例えば、デジタルテレビ受像装置、ディスプレイやメインスピーカと分離された光ディスク再生装置やチューナ装置、セットトップボックスなど、音声や映像の出力を行う種々のＡＶ装置を適用することが出来る。
【００５９】
また、上記実施の形態では、スピーカ装置をリアスピーカに適用した例を示したが、もっと多数のチャンネルを有するマルチチャンネル音源に対応する場合には、サラウンド用の別のスピーカに適用することも出来る。また、ＡＶ装置と離れたところでメインの音声出力を行うスピーカ装置に適用することも出来る。
【００６０】
また、上記実施の形態では、ワイヤレス受信器の装着状態をディスプレイ装置に伝えるのに、常時、短いサイクルごとにステータス情報の送受信を行わせているが、例えば、装着状態に変更があったときだけワイヤレス受信器２０から変更されたステータス情報を送信させるようにしても良い。この場合、ディスプレイ装置１０から受信確認の応答信号を送信させ、この送信を受けるまでワイヤレス受信器２０から変更されたステータス情報を繰り返し送信させることで、ステータス情報の送受信の確実性も担保できる。
【００６１】
また、上記実施の形態では、ワイヤレス受信器の装着／非装着を検出するのに所定の端子のインピーダンスを監視することで行っているが、例えば、ワイヤレス受信器２０の底面部や装着部３１にメカ的なスイッチを設けておき、このメカスイッチからの検出出力に基づき装着／非装着の状態を検出するようにしても良い。
【００６２】
また、上記実施の形態では、デジタルの音声データを無線伝送する構成を示したが、アナログの音声信号を無線伝送する構成としても良い。また、無線でなく赤外線を用いた構成としても良い。また、音声信号や音声データを送受信する構成と、ワイヤレス受信器の装着／非装着を示すステータス情報を送受信する構成とを、別構成としても良い。
【００６３】
また、上記実施の形態では、ワイヤレス受信器をヘッドフォンとは別構成としたが、その他の変形例を示した図６のように、ヘッドフォン４０の中にワイヤレス受信器の機能を組み込んだ構成としても良い。この場合、ヘッドフォン４０自体をスピーカ装置３０Ｂに装着可能とする装着部３１Ｂ，３１Ｂを設ければ良い。また、この装着の仕方も種々の方式が適用できる。
【００６４】
その他、実施の形態で示した細部構成や方法等は、発明の趣旨を逸脱しない範囲で適宜変更可能である。
【図面の簡単な説明】
【００６５】
【図１】本発明の実施の形態のＡＶシステムの全体を示す構成図である。
【図２】ＡＶシステムの各構成装置の回路構成を示すブロック図である。
【図３】ディスプレイ装置とワイヤレス受信器とで行われるステータス情報の送受信に関する処理を示すフローチャートである。
【図４】ワイヤレス受信器がリアスピーカ装置に装着された場合に、各装置で実行される処理内容を説明するフローチャートである。
【図５】ワイヤレス受信器がリアスピーカ装置から外された場合に、各装置で実行される処理内容を説明するフローチャートである。
【図６】ワイヤレス受信器をヘッドフォンと一体構成とした例を示す構成図である。
【符号の説明】
【００６６】
１０      ディスプレイ装置（ＡＶ装置）
１１      表示部
１２      スピーカ
１０１    ディスク再生部
１０２    信号処理回路
１０３    アンプ
１０４    コントローラ
１０５    無線送受信回路
２０      ワイヤレス受信器
２５      ヘッドフォン
２０１    無線送受信回路
２０２    信号処理回路
２０３    アンプ
２０４    ヘッドフォン接続端子
２０５    出力回路
２０６    接続検出回路（接続検出手段）
２０７    音声出力端子
２０９    コントローラ
２１１    充電用入力端子
２１２    バッテリ
３０      リアスピーカ装置
３１      装着部
３２      スピーカ
３０１    音声入力端子
３０２    入力回路
３０３    アンプ
３０４    接続検出回路
３０５    電源制御回路
３１０    電源回路
３１１    充電回路
３１２    充電用出力端子
【図１】
2008172551.tif 000003
【図２】
2008172551.tif 000004
【図３】
2008172551.tif 000005
【図４】
2008172551.tif 000006
【図５】
2008172551.tif 000007
【図６】
2008172551.tif 000008